(57)【要約】      （修正有）【課題】経緯方向の強度を改善した強化織物を提供すること。【解決手段】強化織物１は、経糸２に対して下緯糸と上緯糸４とを上下に二層に配置して製織された織物であって、経糸２と下緯糸は高強力繊維であり、上緯糸４は麻繊維又は綿繊維である。経糸２と下緯糸は畦織りの織り組織を有する基礎織物を形成し、上緯糸４は基礎織物の表面に織り込まれている。高強力繊維は高強力ポリアリレート繊維であるのが好ましく、上緯糸４は基礎織物に下緯糸と同一ピッチで織り込まれるのが好ましい。【選択図】図１
2013096015.tif 000002
【特許請求の範囲】
【請求項１】
経糸に対して下緯糸と上緯糸とを上下に二層に配置して製織された強化織物であって、
前記経糸と前記下緯糸は高強力繊維であって、
前記上緯糸は麻繊維又は綿繊維であって、
前記経糸と前記下緯糸は畦織りの織り組織を有する基礎織物を形成し、
前記上緯糸は前記基礎織物の表面に織り込まれていることを特徴とする強化織物。
【請求項２】
前記高強力繊維は高強力ポリアリレート繊維であって、
前記上緯糸は前記基礎織物に前記下緯糸と同一ピッチで織り込まれていることを特徴とする、請求項１記載の強化織物。
【請求項３】
前記基礎織物の完全組織は、２本の経糸と４本の下緯糸からなる畦組織を経糸方向にずらして並べた２つの畦組織からなっていて、
前記経糸は、２本の下緯糸の下側を通り、次いで１本の下緯糸と上緯糸の間を通り、ついで１本の上緯糸の上側を通り、これが経糸方向に繰り返されていて、
経糸が上緯糸の上側を通る位置が、強化織物の完全組織において経糸方向及び緯糸方向で重ならないようにずらされていることを特徴とする、請求項１又は２に記載の強化織物。
【発明の詳細な説明】
【技術分野】
【０００１】
本発明は、高強力繊維と麻繊維又は綿繊維とを組み合わせて製織された強化織物に関する。
【背景技術】
【０００２】
従来より、麻や綿を用いた布バッグ等の布製品が広く普及しているが、麻や綿等の天然繊維は強度が低く耐久性に欠ける。これに対して高強力ポリアリレート等の機能性繊維は強度が高く、天然繊維等の一般繊維と高機能性繊維とを組み合わせて用いることが提案されている。例えば、一般繊維を経糸及び緯糸とする織物に、機能性繊維を含む別の経糸及び／又は緯糸を織り込む方法が知られている（例えば、特許文献１参照）。
【先行技術文献】
【特許文献】
【０００３】
【特許文献１】特開２０００−４５１４７号公報
【発明の概要】
【発明が解決しようとする課題】
【０００４】
本発明は、経緯方向の強度を更に改善した強化織物の提供を目的とする。
【課題を解決するための手段】
【０００５】
本発明の請求項１に記載の強化織物は、経糸に対して下緯糸と上緯糸とを上下に二層に配置して製織された強化織物であって、前記経糸と前記下緯糸は高強力繊維であって、前記上緯糸は麻繊維又は綿繊維であって、前記経糸と前記下緯糸は畦織りの織り組織を有する基礎織物を形成し、前記上緯糸は前記基礎織物の表面に織り込まれていることを特徴とする。
【０００６】
また、請求項２に記載の強化織物は、前記高強力繊維は高強力ポリアリレート繊維であって、前記上緯糸は前記基礎織物に前記下緯糸と同一ピッチで織り込まれていることを特徴とする。
【０００７】
更に、請求項３に記載の強化織物では、前記基礎織物の完全組織は２本の経糸と４本の下緯糸からなる畦組織を経糸方向にずらして並べた２つの畦組織からなっていて、前記経糸は２本の下緯糸の下側を通り、次いで１本の下緯糸と上緯糸の間を通り、ついで１本の上緯糸の上側を通り、これが経糸方向に繰り返されていて、経糸が上緯糸の上側を通る位置が、強化織物の完全組織において経糸方向及び緯糸方向で重ならないようにずらされていることを特徴とする。
【発明の効果】
【０００８】
本発明の請求項１に記載の強化織物によれば、高強力繊維からなる経糸と高強力繊維からなる下緯糸が畦織りの織り組織を有する基礎織物を形成していることから、経糸方向及び緯糸方向の双方において優れた強度を有すると共に、組織崩れや糸の横滑り等を防止できる。また、麻繊維又は綿繊維からなる上緯糸と前記下緯糸とが上下に二層に配置されていることから、組織崩れや糸の横滑り等を更に良好に防止できる。更に、麻繊維又は綿繊維は染色可能であることから、麻繊維又は綿繊維を上緯糸として基礎織物の表面に織り込むことで、様々な色の強化織物を提供できる。
【０００９】
また、本発明の請求項２に記載の強化織物によれば、高強力繊維は高強力ポリアリレート繊維であるから、強度に優れた強化織物を提供できる。また、上緯糸と下緯糸のピッチが同一であることから、下緯糸の糸密度を高くでき、緯糸方向における強度を向上できる。
【００１０】
更に、本発明の請求項３に記載の強化織物によれば、基礎織物の完全組織は２本の経糸と４本の下緯糸からなる畦組織を経糸方向にずらして並べた２つの畦組織からなっていることから、組織崩れや糸の横滑り等を良好に防止できる。また、経糸は２本の下緯糸の下側を通り、次いで１本の下緯糸と上緯糸の間を通り、ついで１本の上緯糸の上側を通り、これが経糸方向に繰り返されていていることから、上緯糸は４本の経糸毎に１本の割合で経糸に対して沈むことになり、上緯糸を確実に押さえて上緯糸のほつれを防止すると共に、上緯糸が表面に現れる割合を多くできる。更に、経糸が上緯糸の上側を通る位置が、強化織物の完全組織において経糸方向及び緯糸方向で重ならないようにずらされていることから、組織崩れ等を更に良好に防止できる。
【図面の簡単な説明】
【００１１】
【図１】本発明の実施形態に係る強化織物の表面側から見た織り組織を示す部分拡大平面図である。
【図２】図１に示す強化織物の織り込み状態を示すＩＩ―ＩＩ線断面図である。
【図３】図１に示す強化織物の織り込み状態を示すＩＩＩ―ＩＩＩ線断面図である。
【図４】図１に示す強化織物の織り込み状態を示すＩＶ―ＩＶ線断面図である。
【図５】図１に示す強化織物の完全組織を示す説明図である。
【図６】図１に示す強化織物から上緯糸を除いた基礎織物の織り組織を示す部分拡大平面図である。
【発明を実施するための最良の形態】
【００１２】
本発明の実施形態に係る強化織物について添付の図面を参照して説明する。図１は、本実施形態における強化織物１の表面から見た織り組織を示す部分拡大平面図であり、経糸２は黒塗りで、上緯糸４は白抜きでそれぞれ示している。図２は図１のＩＩ―ＩＩ線断面図、図３は図１のＩＩＩ―ＩＩＩ線断面図、図４は図１のＩＶ―ＩＶ線断面図である。強化織物１は、高強力繊維からなる経糸２に対して同じく高強力繊維からなる下緯糸３と麻繊維又は綿繊維からなる上緯糸４とを上下に二層に配置して製織された経糸１重緯糸２重織物である。従って、図１に示すように、下緯糸３は上緯糸４に隠れて表面に表れることはない。
【００１３】
経糸２及び下緯糸３に用いられる高強力繊維としては、例えば高強力ポリアリレート繊維やアラミド繊維、高強度ポリエチレン繊維、炭素繊維等が挙げられる。また、上緯糸４に用いられる一般繊維には、麻や綿等の天然繊維や、ポリエステルやナイロン等の一般的な化学繊維（機能繊維以外の化学繊維や合成繊維）が挙げられる。本実施形態においては、高強力繊維としてクラレ社製のベクトラン（登録商標）と呼ばれる高強力ポリアリレート繊維を用いる。
【００１４】
図５に強化織物１の完全組織を示す。織物の完全組織とは、織物組織の最小の繰り返し単位であって、この完全組織が上下左右につながって織物が形成される。図５において、×印は経糸２が上緯糸４の上側を通り表面に経糸２が現れていることを示し、○印は経糸２が下緯糸３の下を通り裏面に経糸２が現れていることを示し、白抜きは  経糸２が上緯糸４と下緯糸３の間を通り表面からも裏面からも経糸２が隠れていることを示す。
【００１５】
本実施形態においては、図４に示すように、経糸２が、２本の下緯糸３の下側を通り、次いで１本の下緯糸３と上緯糸４の間を通り、ついで１本の上緯糸４の上側を通り、これが経糸方向に繰り返されている。そして、図５に示すように、経糸２が表面に表れる位置、つまり、経糸２が上緯糸４の上側を通る位置が、完全組織において経糸方向及び緯糸方向で重ならないように製織されている。また、上緯糸４は、経糸２の４本毎に１本の割合で経糸２に対して沈むように製織されている。
【００１６】
換言すると、強化織物１は、経糸２及び下緯糸３からなる基礎織物１Ａ（図６）の上に、麻又は綿の上緯糸４が下緯糸３と同一のピッチで織り込まれて製織されたものである。図６において、経糸２は黒塗りで、下緯糸３は点描で示している。図６に示すように、この基礎織物１Ａは経糸２と下緯糸３とを畦織り（２本畦）したものであって、その完全組織は２本の経糸２と４本の下緯糸３からなる畦組織を経糸方向にずらして並べた２つの畦組織からなっている。
【００１７】
上述したように、本実施形態における強化織物１では、その基礎織物１Ａが高強力繊維からなる経糸２及び緯糸３により製織されていることから、経糸方向及び緯糸方向の２方向において優れた強度を有する。そして、本実施形態では、高強力繊維として高強力ポリアリレート繊維が採用されている。高強力ポリアリレート繊維とは、分子と分子の結びつきが非常に強いポリマーを繊維化したポリエステル系繊維であって、高強度（引っ張り強度：２０ｃＮ／ｄｔｅｘ程度）であることに加えて耐摩耗性にも優れ、野球のバックネットやロープに用いられていることから、高強力ポリアリレート繊維を経糸２及び下緯糸３に用いることにより強化織物１を耐久性に優れたものにすることができる。
【００１８】
また、高強力ポリアリレート繊維自体は染色することができないが、本実施形態では高強力ポリアリレート繊維からなる基礎織物１Ａの上側（表面）に麻又は綿からなる上緯糸４が織り込まれており、麻や綿は染色可能であることから、様々な色の強化織物１を提供できる。更に、上緯糸３が表面に多く表れることから、強化織物１の表面は麻又は綿の風合いを有するものにできる。
【００１９】
また、高強力ポリアリレート繊維は滑りやすい性質を有するが、基礎織物１Ａが上述したような畦織り組織を有することから組織崩れや糸の横滑り等を防止できる。また、麻繊維又は綿繊維からなる上緯糸４と組み合わせることにより更に滑りをなくし、組織崩れ等を良好に防止できる。
【００２０】
また、上緯糸４は経糸２の４本毎に１本の割合で経糸２に対して沈むように製織されていることから、基礎織物１Ａに対して上緯糸４がほつれにくくなっている。例えば、５本又はそれ以上の経糸２に対して１本の割合で沈むように製織することも考えられるが、この場合には上緯糸４がほつれやすくなり好ましくない。
【００２１】
このように製織された強化織物１は、例えばバック等の材料として利用可能である。強化織物１により縫製されたバックは通常のハサミでは切れないほどの強度を有することから、耐久性に優れたものにできる。また、仮に上緯糸４が摩耗しても、経糸２及び下緯糸３は極めて摩耗しにくいため、全体として強度に優れたバックを提供できる。
【産業上の利用可能性】
【００２２】
本実施形態における強化織物は、例えばバッグ等の材料として利用可能である。
【図１】
2013096015.tif 000003
【図２】
2013096015.tif 000004
【図３】
2013096015.tif 000005
【図４】
2013096015.tif 000006
【図５】
2013096015.tif 000007
【図６】
2013096015.tif 000008